(57)【要約】【目的】  圧送ポンプの前後にアンローダーバルブを介して連通させる帰還管路を設けた場合に問題となる洗浄水の高温化を確実に防止するスプレー洗浄装置を提供する。【構成】  圧送ポンプ１０の前後にアンローダーバルブ１４を介して連通させる帰還管路１３を設け、スプレーガン１２の手元弁が閉じられた時、余水を帰還管路１３に流し圧送ポンプ１０にかかる負荷を逃がすスプレー洗浄装置であって、前記帰還管路１３を包囲するように設けた熱交換管路１７に水タンク５の水を循環させ、帰還管路１３に流れる洗浄液と熱交換管路１７に流れる水とで熱交換を行わせるようにしたスプレー洗浄装置。【選択図】  図１
2006043501.tif 000002
【特許請求の範囲】
【請求項１】
水タンク内の水を圧送ポンプで圧送し、手元弁付きのスプレーガンより噴射させる方式のスプレー洗浄装置であって、
前記圧送ポンプの吐出側と吸込側とをアンローダーバルブを介して水を帰還させる帰還管路を備え、前記圧送ポンプ駆動中、前記手元弁が閉止された場合、余水を前記帰還管路に流し、前記圧送ポンプにかかる負荷を軽減する機能を有するスプレー洗浄装置において、
前記帰還管路を包囲するよう配された熱交換管路と、前記水タンク内の水を循環ポンプにて前記熱交換管路に圧送した後、前記水タンクに戻す循環管路とを設けたことを特徴とするスプレー洗浄装置。
【請求項２】
該帰還管路に介設され帰還管路内を流れる水の温度を検出する温度検出手段と、該温度検出手段が所定温度以上を検出すると前記循環ポンプを駆動させる制御手段とを備えたことを特徴とする請求項１記載のスプレー洗浄装置。
【請求項３】
前記制御手段は、前記温度検出手段が所定温度以上を検出し、循環ポンプを駆動させて所定時間経過後、前記所定温度よりも低い温度を検出しない場合、前記圧送ポンプを停止させることを特徴とする請求項２記載のスプレー洗浄装置。
【発明の詳細な説明】
【技術分野】
【０００１】
本発明は、少なくとも水又は水を含む２種類以上の洗浄液を圧送ポンプで圧送し手元弁付きのスプレーガンにより噴射させる方式のスプレー洗浄装置に関するものである。
【背景技術】
【０００２】
従来より、少なくとも水又は水を含む２種類以上の洗浄液を切り換えて圧送ポンプで圧送し、手元弁付きのスプレーガンより噴射させる方式のスプレー洗浄装置が下記特許文献１に記載されている。そして、このスプレー洗浄装置では、手元弁を閉じるとアンローダーバルブが開き、洗浄水が帰還管路に流れ、ポンプに高負荷がからないようにしている。しかしながら、この状態のままにしておくと、やはり圧送ポンプにはある程度負荷がかかり続けることになるため、アンローダーバルブが開いたことを検出してから所定時間が経過したら圧送ポンプも停止するようになっている。
【特許文献１】特開昭６３−１０４６９１号公報
【発明の開示】
【発明が解決しようとする課題】
【０００３】
しかしながら、特許文献１には記載されていないが、スプレーガンの手元弁が閉じられアンローダーバルブが開き、圧送ポンプの吐出側から吐出される洗浄液が帰還管路を通って圧送ポンプの吸込側に吸い込まれていくという循環が継続されることにより、管路抵抗による摩擦熱及び圧送ポンプの駆動熱がこの循環している洗浄液に蓄積されていき、やがて洗浄液が異常高温になり、圧送ポンプ内や各管路の接続部に配設されているシール部材の劣化を促進し、さらにより高温となった場合には管路内の洗浄液が沸騰し気泡が発生して、次回スプレー噴射時にはこの気泡の影響で、正常な噴射ができなくなるおそれがあった。
【０００４】
ところで、特許文献１に記載された装置では、所定時間が経過したら圧送ポンプを停止させているため、このような現象を或る程度は防止できるが、装置の個体差、洗浄液の種類、外気温等により異なる洗浄液の温度上昇時間の違いには対応できず、例えば、設定されている所定時間が長すぎて異常高温になっているにもかかわらず、暫くは圧送ポンプが停止しなかったり、逆に所定時間が短すぎて、洗浄液を切り換えたり、対象となる洗浄部位を変えるため手元弁を一時的に閉じただけなのに、その間に圧送ポンプが停止してしまい、都度圧送ポンプを再始動させなくてならない場合が生じる可能性がある。
【課題を解決するための手段】
【０００５】
このような課題を解決するために本発明は、水タンク内の水を圧送ポンプで圧送し、手元弁付きのスプレーガンより噴射させる方式のスプレー洗浄装置であって、前記圧送ポンプの吐出側と吸込側とをアンローダーバルブを介して水を帰還させる帰還管路を備え、前記圧送ポンプ駆動中、前記手元弁が閉止された場合、余水を前記帰還管路に流し、前記圧送ポンプにかかる負荷を軽減する機能を有するスプレー洗浄装置において、前記帰還管路を包囲するよう配された熱交換管路と、前記水タンク内の水を循環ポンプにて前記熱交換管路に圧送した後、前記水タンクに戻す循環管路とを設けたスプレー洗浄装置を提供することを要旨とするものである。
【０００６】
また、該帰還管路に介設され帰還管路内を流れる水の温度を検出する温度検出手段と、該温度検出手段が所定温度以上を検出すると前記循環ポンプを駆動させる制御手段とを備えたスプレー洗浄装置とするとより好ましい態様となる。
【０００７】
また、前記制御手段は、前記温度検出手段が所定温度以上を検出し、循環ポンプを駆動させて所定時間経過後、前記所定温度よりも低い温度を検出しない場合、前記圧送ポンプを停止させるスプレー洗浄装置とするとより好ましい態様となる。
【発明の効果】
【０００８】
本発明の装置は以上のように構成されるので、本発明によれば、時間で圧送ポンプを停止するのでなく、帰還管路を冷却するようにしたので、確実に帰還管路に循環している洗浄液の異常な温度上昇を防止でき、そのため、圧送ポンプその他シール部材の保護が確実に図れる。
また、帰還管路に流れている洗浄水が所定温度以上になったときに帰還管路を冷却するようにしたので、必要以上に帰還管路を冷却することなく帰還管路の温度上昇を防止できる。
また、循環ポンプの故障等により、最悪、帰還管路の冷却が不能となった場合には、圧送ポンプを停止するようにしたので、圧送ポンプの確実な保護が図れる。
【実施例】
【０００９】
以下、図面を基に、本発明の実施例について説明する。図１は本発明の実施例の全体構成図である。図において、１はスプレー洗浄装置本体で、本体内上部には洗浄水の切替や装置の駆動・停止を行うためのスイッチ類等で構成される操作部２が設けてあり、底部には、給水源３からボールバルブ４により常時一定水位に保持されている水タンク５と、洗剤タンク６が設けてある。それぞれのタンク５，６内には吸込管路７が分岐され電磁弁８，９を介して挿入されており、吸込管路７の他方は圧送ポンプ１０の吸込側に接続されている。圧送ポンプ１０の吐出側には吐出管路１１が接続されており、先端には手元弁付スプレーガン１２が接続されている。圧送ポンプ１０の吐出側と吸込側とにはそれぞれを連通する帰還管路１３が設けてあり、途中に流量調整可能なアンローダーバルブ１４を介して、スプレーガン１２の手元弁が閉じられた時に余水を流して圧送ポンプ１０にかかる負荷を軽減させるようになっている。また、帰還管路１３にはこの管路内を流れる洗浄水の温度を検出するための温度検出手段たるサーミスター１５が設けてある。ところで、帰還管路１３の材質は熱伝導性の良い銅パイプとしてあり、更に、水タンク５内の水を循環ポンプ１６により吸い上げて、帰還管路１３を包囲するように配した熱交換管路１７（例えば耐熱性のある可撓性ホース）内に流し、再び水タンク５内に戻す循環管路１８を設けてあり、帰還管路１３内を流れる洗浄液と循環管路１８内を流れる水とが容易に熱交換できるようになっている。
【００１０】
１９はリレーやマイコンからなる制御手段であり、操作部２やサーミスター１５からの信号を受け、圧送ポンプ１０、循環ポンプ１６や電磁弁８，９を制御できるようになっている。
【００１１】
次に洗浄動作を説明する。
【００１２】
まず、作業者は操作部２の洗浄水切替スイッチにて水を選択し、続けてポンプ駆動スイッチをオンする。すると、その信号を受けた制御手段１９は電磁弁８を開放し、圧送ポンプ１０を駆動させる。この状態で、作業者がほどなくスプレーガン１２を構え、ノズル先端を洗浄対象物に向けて手元弁を開放すれば、水が高圧で噴射されるのであるが、何かの都合ですぐには洗浄せず、しばらくの間そのまま放置しておいたとすると、圧送ポンプ１０の吐出側から吐出される水はアンローダーバルブ１４により帰還管路１３を経て再び圧送ポンプ１０の吸込側に吸入される。この循環が長時間繰り返されることにより、帰還管路１３と洗浄水との摩擦抵抗及び圧送ポンプ１０の発熱により循環している洗浄水の温度が上昇してくる。やがてその温度がサーミスター１５に設定されている所定温度（シール部材等に影響のない温度）以上を検出するとその信号を受けた制御手段１９は、循環ポンプ１６を駆動させる。これにより、水タンク５内の水が熱交換管路１７に循環され、この水と帰還管路１３内を流れている高温になった水とが熱交換され帰還管路１３内を流れている水の温度が低下し始め、スプレーガン１２をしばらく放置しておいても、何ら悪影響が発生することはない。またこの熱交換により、やがてサーミスター１５が前記所定温度よりも低い温度を検出し、制御手段１９がこの信号を受け取ると、これ以上冷却する必要がないと判断し、循環ポンプ１６を停止させるようにしてもよい。
【００１３】
さらに、循環ポンプ１６が故障したり、循環管路１８がつまったり、その他何らかの要因により上記のような熱交換が実施されないような最悪の事態が発生した場合には以下のような対策を採っている。
【００１４】
制御手段１９では、サーミスター１５から所定温度以上であるという信号を受け、循環ポンプ１６を駆動させるが、所定時間経過後もサーミスター１５が所定温度よりも低い温度を検出しない、つまり、熱交換が正常に行われていないと判断し、直ちに圧送ポンプ１０を停止させ、これ以上帰還管路１３内の水が高温にならないようにし、圧送ポンプ１０の保護を行うようにしている。また、同時に操作部２の警報ランプ等で作業者に異常を報知するようにもなっている。
【００１５】
水での予備洗浄が終了したら、操作部２の洗浄液切替スイッチで洗剤を選択する。するとその信号を受けた制御手段１９は、電磁弁８を閉じ、かわりに電磁弁９を開放して、洗剤が噴射できる状態とする。そして作業者はプレーガン１２の手元弁を開いて洗剤での本洗浄を行い、同様にして再度水で仕上げ洗浄を行い洗浄終了となる。これらの作業中も前述したように、何らかの都合によりスプレーガン１２の手元弁が閉じられたままの状態で放置されているときには、帰還管路１３の洗浄水温度により循環ポンプ１６の駆動・停止が繰り返されるようになっている。
【図面の簡単な説明】
【００１６】
【図１】本発明の一実施例である装置の全体構成図である。
【符号の説明】
【００１７】
１  スプレー洗浄装置
５  水タンク
６  洗剤タンク
１０  圧送ポンプ
１２  スプレーガン
１３  帰還管路
１４  アンローダーバルブ
１５  サーミスター
１６  循環ポンプ
１７  熱交換管路
１８  循環管路
１９  制御手段
【図１】
2006043501.tif 000003